(57)【要約】【課題】吊戸扉において、開口部でのバリアフリー化を妨げることなく、下部戸先側での横振れの発生を防止して開閉操作性を良好にする振れ止め装置を提供する。【解決手段】振れ止め装置Ｒは、吊戸扉Ｐ１・Ｐ２が連動して順に閉方向Ｘに走行して後、全閉位置に近づいて、マグネットキャッチ４０が全閉位置の手前の振れ止め位置Ｚに至ると作動し、磁石Ｍの磁力で吸引して振れ止め本体３０の係合片３５を回動して鉛直な立ち上げ状態に磁着保持し、その立ち上げ状態で係合片３５をガイド溝１４・１５の戸先側溝端部１４ａ・１５ａに係合し、各扉Ｐ１・Ｐ２が下部戸先側で横振れするのを防止する構成になっている。【選択図】          図１
2010106444.tif 000002
【特許請求の範囲】
【請求項１】
下部の端面にガイド溝を長さ方向に凹設した吊戸扉を、その上部をガイドレールに係合して開閉方向に走行自在に上吊りする一方、下部は走行ガイドを前記ガイド溝に係合し、閉時、上部を前記ガイドレールで案内し、下部は前記走行ガイドで案内して閉方向に走行する吊戸構造体において、吊戸扉が全閉位置に近づいたとき、下部の戸先側が前記ガイド溝の戸尻側で係合した前記走行ガイドを支点として横振れするのを防止する吊戸用振れ止め装置であって、
床側に設置する振れ止め本体と、扉側に付設するマグネットキャッチとからなり、
前記振れ止め本体は、
開口部下方の床面に穿設した取付凹部に嵌着する収納ケースと、
該収納ケースの収納凹部内に基端部を枢支して回動自在に連結して起伏自在に収納する磁性体の係合片を備え、
閉時に吊戸扉が走行する軌動下の床面上にあって、横振れを起す全閉位置の手前の振れ止め位置に、前記係合片の先端部を閉方向戸尻側に向けて１個設置する一方、
前記マグネットキャッチは、
前記ガイド溝に嵌め込み可能な薄箱状をなし、前記ガイド溝の閉方向戸先側溝端部に嵌着する木口キャップと、
該木口キャップ内に組み込み、閉時、横振れを起す前記振れ止め位置に至ると、前記係合片を吸引して回動して鉛直な立ち上げ状態に磁着保持する磁石とを備えてなることを特徴とする、吊戸用振れ止め装置。
【請求項２】
前記吊戸構造体が、下部の端面に前記ガイド溝を凹設した複数枚の前記吊戸扉を、開口部の奥行方向に並置すると共に各扉の上部を前記ガイドレールで走行自在に上吊りする一方、各扉の下部は前記ガイド溝にそれぞれ前記走行ガイドを係合し、閉時、最も手前の外扉を移動させると、それに遅れて順次奥側の内扉を連動して走行する連動式吊戸構造体からなり、
該連動式吊戸構造体において、
前記振れ止め本体は、閉時に各扉が走行する軌動下の床面上にあって、横振れを起す全閉位置の手前の各振れ止め位置に、前記係合片の先端部を閉方向戸尻側に向けて１個ずつ設置する一方、
前記マグネットキャッチは、各扉に有する前記ガイド溝の閉方向戸先側溝端部に嵌着し、閉時、横振れを起す前記振れ止め位置に至ると、それぞれ前記磁石で前記係合片を吸引して回動して鉛直な立ち上げ状態に磁着保持してなることを特徴とする、請求項１に記載の吊戸用振れ止め装置。
【請求項３】
前記マグネットキャッチは、前記ガイド溝の溝形状に合わせて全体を薄箱状に形成し、一端に前記ガイド溝の溝端部より若干幅広且つ縦長で外縁が鍔状に延びる蓋板部を設け、扉の戸先側から前記ガイド溝の戸先側溝端部に嵌め込んで固着し、戸先側溝端部を前記蓋板部で覆って前記ガイド溝の化粧用エンドキャップとして兼用してなることを特徴とする、請求項１又は２に記載の吊戸用振れ止め装置。
【請求項４】
前記磁石を、強磁性で以って前記係合片を磁着する戸先側の磁石と、磁着した前記係合片を間に挟んで立ち上げると共に両側から立ち上げ状態を磁着保持する戸尻側の一対の磁石とで構成してなることを特徴とする、請求項１、２又は３に記載の吊戸用振れ止め装置。
【発明の詳細な説明】
【技術分野】
【０００１】
本発明は、下端面にガイド溝を凹設した吊戸扉を、閉時、上部をガイドレールに係合して案内し、下部は走行ガイドをガイド溝に係合して案内しながら閉方向に走行し、全閉位置に近づいたときに下部戸先側が横振れするのを防止する吊戸用振れ止め装置に関する。
【背景技術】
【０００２】
従来、例えば連動吊戸は、図１５に示すように、開口部の奥行方向に重ねて引戸扉ａ・ｂを並置し、各扉ａ・ｂの上部には、戸尻側と戸先側に吊車体１を搭載し、吊車体１の戸車１ａを戸枠ｅの上枠部に固定したガイドレール２に係合して各扉ａ・ｂを開閉方向に走行自在に上吊りする一方、各扉ａ・ｂの下部には、下端面の長さ方向にチャンネル材３・４で補強したガイド溝３ａ・４ａを凹設し、ガイド溝３ａ・４ａに走行ガイドｇのガイドローラ５・６を係合させて案内する構造になっている。走行ガイドｇは、奥側の内扉ａを案内するガイドローラ５を、仕切壁ｗに沿った戸袋部位ｄの戸先寄り床面Ｆ上に立設し、手前側の外扉ｂを案内するガイドローラ６を、内扉ａの戸先側に固定したアングル板７の折曲片７ａ上に立設している。
【０００３】
従って、従来の連動吊戸では、開閉時、外扉ｂを引いて走行させると、外扉ｂは、上部をガイドレール２で案内し、下部をガイドローラ６で案内して移動し、それに遅れて内扉ａが連動して走行し、同様に上部をガイドレール２で案内し、下部をガイドローラ６で案内して移動するようになっている。
【特許文献１】特開平４−６８１８３号公報
【発明の開示】
【発明が解決しようとする課題】
【０００４】
ところが、従来の連動吊戸では、各扉ａ・ｂの上部側は、ガイドレール２に対し長さ方向戸先側と戸尻側の２点において戸車１ａを係合させて案内するが、下部側は、ガイド溝３ａ・４ａに対して長さ方向片側の１点においてガイドローラ５・６を係合させて案内する構造である。従って、特に閉時、各扉ａ・ｂが連動して順次に走行して後、全閉位置に近づいたときに、図１６中鎖線で示すように、各扉ａ・ｂの下部側が、最も戸尻側で固定のガイドローラ５を基点として大きく横振れを起し、その結果、吊戸の開閉操作性が極めて悪いという問題があった。
【０００５】
そこで、従来、他の吊戸の中に、図示省略するが、扉の下部にも戸車を枢支する一方、床面上には、扉用の走行路（敷居部）上にガイドレールを敷設し、このガイドレールの凹溝に戸車を係合させて、扉の下部戸先側が横振れしないように案内する構造にしたものがある。
【０００６】
しかし、この従来の吊戸では、敷居部上にレール用の長溝を凹設し、そこにガイドレールを敷設する構造になるが、これでは、床面上にガイドレールが突出し、その段差が車椅子等の通行の障害になるなど、バリアフリー化の障害になるという課題があった。
【０００７】
そこで、本発明の目的は、吊戸扉において、開口部でのバリアフリー化を妨げることなく、下部戸先側での横振れの発生を防止して開閉操作性を良好にする振れ止め装置を提供することにある。
【課題を解決するための手段】
【０００８】
そのため、上述した課題を解決すべく、請求項１に記載の発明は、たとえば以下に示す実施の形態のとおり、下部の端面にガイド溝を長さ方向に凹設した吊戸扉を、その上部をガイドレールに係合して開閉方向に走行自在に上吊りする一方、下部は走行ガイドを前記ガイド溝に係合し、閉時、上部を前記ガイドレールで案内し、下部は前記走行ガイドで案内して閉方向に走行する吊戸構造体において、吊戸扉が全閉位置に近づいたとき、下部の戸先側が前記ガイド溝の戸尻側で係合した前記走行ガイドを支点として横振れするのを防止する吊戸用振れ止め装置であって、床側に設置する振れ止め本体と、扉側に付設するマグネットキャッチとからなり、前記振れ止め本体は、開口部下方の床面に穿設した取付凹部に嵌着する収納ケースと、該収納ケースの収納凹部内に基端部を枢支して回動自在に連結して起伏自在に収納する磁性体の係合片を備え、閉時に吊戸扉が走行する軌動下の床面上にあって、横振れを起す全閉位置の手前の振れ止め位置に、前記係合片の先端部を閉方向戸尻側に向けて１個設置する一方、前記マグネットキャッチは、前記ガイド溝に嵌め込み可能な薄箱状をなし、前記ガイド溝の閉方向戸先側溝端部に嵌着する木口キャップと、該木口キャップ内に組み込み、閉時、横振れを起す前記振れ止め位置に至ると、前記係合片を吸引して回動して鉛直な立ち上げ状態に磁着保持する磁石とを備えてなることを特徴とする。
【０００９】
請求項２に記載の発明は、請求項１に記載の吊戸用振れ止め装置において、たとえば以下に示す図示実施の形態のとおり、前記吊戸構造体が、下部の端面に前記ガイド溝１４・１５を凹設した複数枚の前記吊戸扉を、開口部の奥行方向に並置すると共に各扉の上部を前記ガイドレールＬ１・Ｌ２で走行自在に上吊りする一方、各扉Ｐ１・Ｐ２の下部は前記ガイド溝１４・１５にそれぞれ前記走行ガイドＧを係合し、閉時、最も手前の外扉Ｐ２を移動させると、それに遅れて順次奥側の内扉Ｐ１を連動して走行する連動式吊戸構造体からなり、該連動式吊戸構造体において、前記振れ止め本体３０は、閉時に各扉Ｐ１・Ｐ２が走行する軌動下の床面Ｆ上にあって、横振れを起す全閉位置の手前の各振れ止め位置Ｚに、前記係合片３５の先端部を閉方向戸尻側に向けて１個ずつ設置する一方、前記マグネットキャッチ４０は、各扉Ｐ１・Ｐ２に有する前記ガイド溝１４・１５の閉方向戸先側溝端部１４ａ・１５ａに嵌着し、閉時、横振れを起す前記振れ止め位置Ｚに至ると、それぞれ前記磁石Ｍで前記係合片３５を吸引して回動して鉛直な立ち上げ状態に磁着保持してなることを特徴とする。
【００１０】
請求項３に記載の発明は、請求項１又は２に記載の吊戸用振れ止め装置において、たとえば以下に示す図示実施の形態のとおり、前記マグネットキャッチ４０は、前記ガイド溝１４・１５の溝形状に合わせて全体を薄箱状に形成し、一端に前記ガイド溝１４・１５の溝端部より若干幅広且つ縦長で外縁が鍔状に延びる蓋板部５０ａを設け、扉の戸先側から前記ガイド溝１４・１５の戸先側溝端部１４ａ・１５ａに嵌め込んで固着し、戸先側溝端部１４ａ・１５ａを前記蓋板部５０ａで覆って前記ガイド溝１４・１５の化粧用エンドキャップとして兼用してなることを特徴とする。
【００１１】
請求項４に記載の発明は、請求項１、２又は３に記載の吊戸用振れ止め装置において、たとえば以下に示す図示実施の形態のとおり、前記磁石Ｍを、強磁性で以って前記係合片３５を磁着する戸先側の磁石、例えば磁石ｍ１と、磁着した前記係合片３５を間に挟んで立ち上げると共に両側から立ち上げ状態を磁着保持する戸尻側の一対の磁石、例えば磁石ｍ３・ｍ３とで構成してなることを特徴とする。
【発明の効果】
【００１２】
請求項１に記載の発明によれば、閉時、吊戸が閉方向に走行して後、全閉位置に近づいて、マグネットキャッチが全閉位置の手前の振れ止め位置に至ると、振れ止め装置が作動し、磁石の磁力で吸引して振れ止め本体の係合片を回動して鉛直な立ち上げ状態に磁着保持し、その立ち上げ状態で係合片をガイド溝の戸先側溝端部に係合し、これにより、吊戸が下部戸先側で横振れするのを防止して吊戸の開閉操作性を良好にすることができる。
【００１３】
更に、請求項１に記載の発明によれば、係合片は、床面下に凹設する収納ケースに上下に昇降自在に収納する構造ではなく、収納ケースの収納凹部内に基端部を枢支して回動自在に連結し、振れ止め時は、磁石の磁力で回動して鉛直に立ち上げてガイド溝の戸先側溝端部に係合させることにより吊戸の横振れを防止する構成であるため、上下移動長さを確保すべく床面下に十分な深さが必要になるなど、振れ止め本体を凹設する床構造に制限を受けることがなく、従って、最近、特に普及している、床スラブ上に床材を直接貼り付ける直貼りフロアなどであっても、そのまま設置して適用することができる。なお、床側に設置の振れ止め本体は、収納ケースを床面に凹設した取付凹部に嵌着し、係合片は、床面下に凹設する収納ケースの収納凹部内に基端部を枢支して回動自在に連結して起伏自在に収納し、振れ止め時以外の常時は、収納ケース内に収納状態にあることから、振れ止め本体が床面上に突出することがなく、開口部でのバリアフリー化の要請にも併せて応えることができる。
【００１４】
請求項２に記載の発明によれば、連動吊戸にあっても、閉時、各扉が連動して順に閉方向に走行して後、全閉位置に近づいて、マグネットキャッチが全閉位置の手前の振れ止め位置に至ると、振れ止め装置が作動し、磁石の磁力で吸引して振れ止め本体の係合片を回動して鉛直な立ち上げ状態に磁着保持し、その立ち上げ状態で係合片をガイド溝の戸先側溝端部に係合し、これにより、各扉が下部戸先側で横振れするのを防止して連動吊戸の開閉操作性を良好にすることができる。
【００１５】
請求項３に記載の発明によれば、マグネットキャッチは、扉の戸先側からガイド溝の戸先側溝端部に嵌め込んで固着し、戸先側溝端部を蓋板部で覆ってガイド溝の化粧用エンドキャップとして兼用し、これにより、別途に専用の化粧用エンドキャップを使用する必要がなく、吊戸の振れ止め効果とガイド溝の戸先側溝端部の化粧効果を併せて奏することができる。
【００１６】
請求項４に記載の発明によれば、吊戸の閉時、マグネットキャッチが振れ止め本体上の振れ止め位置に至ると、戸先側の磁石の強磁性によって係合片を吸引して回動させて起き上げることによりマグネットキャッチに確実に当てて磁着することができ、戸尻側の磁石で両側から磁力を及ぼすことにより係合片を確実に鉛直に立ち上げると共に立ち上げ状態をそのまま確実に磁着保持することができ、その結果、鉛直な立ち上げ状態の係合片をガイド溝の戸先側溝端部に係合することにより、各扉を、下部戸先側で横振れするのを確実に且つ効果的に防止することができる。
【発明を実施するための最良の形態】
【００１７】
以下、図面を参照しつつ、本発明の実施の形態について説明する。
【００１８】
図１は本発明の吊戸用振れ止め装置を適用した連動式吊戸構造体を全閉状態で示す正面図、図２は吊戸構造体を全閉状態で示す斜視図、図３は吊戸構造体の縦断面図、図４は吊戸構造体を全開状態で示す斜視図、図５は吊戸構造体を全開状態で示す正面図である。図示例の吊戸構造体は、例えば建物・建具・家具・クローゼット・物置などの開口部の開閉に使用される連動式吊戸構造体で、横長矩形な戸枠Ｃと、戸枠Ｃ内で開口部の奥行方向最も奥側に立設した仕切壁Ｗと、仕切壁Ｗの奥行方向手前側に並置した内扉Ｐ１および外扉Ｐ２と、内扉Ｐ１と外扉Ｐ２の上部をそれぞれ図中左右の開閉方向に案内するガイドレールＬ１・Ｌ２と、内扉Ｐ１と外扉Ｐ２の下部をそれぞれ開閉方向に案内する走行ガイドＧとで構成されている。
【００１９】
戸枠Ｃは、例えば木製で、床面Ｆ上に立設した図中左右の縦枠１０・１１と、縦枠１０・１１間に横架した天井側の上枠１２とからなる。上枠１２にガイドローラＬ１・Ｌ２を互いに平行に固定し、各々の係合部に戸車を係合させて各扉Ｐ１・Ｐ２をガイドレールＬ１・Ｌ２に懸架して上吊りしている。また、各扉Ｐ１・Ｐ１は、いずれも矩形パネル状をなす木製の引戸扉で、下端面の長さ方向にガイド溝１４・１５を凹設し、ガイド溝１４・１５に断面コ形のチャネル材１６を嵌着して溝壁を補強している。一方、各扉Ｐ１・Ｐ２の上端面には、戸先側と戸尻側に戸車を枢支した吊車体１７・１７を搭載している。他方、奥側の内扉Ｐ１の上端面には、更に、吊車体１７・１７を間に挟んだ両端に滑車１９・１９を横向きに軸支し、滑車１９・１９間に有端状のワイヤー２０を巻き回し、ワイヤー２０の両端を仕切壁Ｗに固着したワイヤーリングに係着する一方、反対側の直線部分を外扉Ｐ２の上端面に取り付けた連結腕１８に係着して両扉Ｐ１・Ｐ２をワイヤー２０で連動可能に連結している。
【００２０】
走行ガイドＧは、内扉Ｐ１のガイド溝１４および仕切壁Ｗの横で床面Ｆ上に立設する係合体２１とで構成する第１ガイドＧ１と、外扉Ｐ２のガイド溝１５および内扉Ｐ１の外扉Ｐ２と対向する外側板面１３に固定する係合体２２とで構成する第２ガイドＧ２とからなる。係合体２１は、図６（Ａ）および図７に示すように、取付プレート２３上に立設した支軸２４の先端にガイドローラ２５を回転自在に枢着してなり、取付プレート２３を仕切壁Ｗの横で戸先寄りの床面Ｆにねじ止めする。係合体２２は、図６（Ｂ）および図７に示すように、アングル板２６の折曲横板部２６ａ上に立設した支軸２７の先端にガイドローラ２９を回転自在に枢着してなり、縦板部２６ｂを内扉Ｐ１の外側板面１３の下部戸先側にねじ止めする。そこで、第１ガイドＧ１において、内扉Ｐ１は、図３に示すように、下部のガイド溝１４にガイドローラ２５を係合させる一方、上部で戸車をガイドレールＬ１に係合させて開閉方向に走行自在に上吊りし、第２ガイドＧ２において、外扉Ｐ２は、下部のガイド溝１５にガイドローラ２９を係合させる一方。上部で戸車をガイドレールＬ２に係合させて開閉方向に走行自在に上吊りしてなる。
【００２１】
従って、図示例の連動式吊戸構造体では、例えば閉時、外扉Ｐ２を引いて移動させると、上部は戸車が係合したガイドレールＬ２の案内で、下部はガイド溝１５に係合したガイドローラ２９の案内で閉方向に走行し、それに従いワイヤー２０が回動し、すると、そのワイヤー２０に引っ張られて隣の内扉Ｐ１が連動し、同じ閉方向に少し遅れて移動し、図１および図２に示すように、上部は戸車が係合したガイドレールＬ１の案内で、下部はガイド溝１４に係合したガイドローラ２５の案内で閉方向Ｘへと走行する。かかる閉時、両扉Ｐ１・Ｐ２が順次走行して全閉位置に近づいたとき、下部側が、最も戸尻側で固定のガイドローラ２５を基点として横振れを起しやすい。そこで、本発明は、連動吊戸の両扉Ｐ１・Ｐ２が閉方向に走行するとき、下部戸先側が横振れする地点が、そのように全閉位置の手前であることから、その地点を振れ止め位置とし、その振れ止め位置で両扉Ｐ１・Ｐ２の横振れを規制する振れ止め装置Ｒを備える。
【００２２】
振れ止め装置Ｒは、図示例では、連動吊戸の内扉Ｐ１用と外扉Ｐ２用に備え、それぞれ床側に設置する振れ止め本体３０と扉側に付設するマグネットキャッチ４０とからなる。
【００２３】
振れ止め本体３０は、図８、図９および図１０に示すように、収納ケース３４と、収納ケース３４に収納する係合片３５と、係合片３５と収納ケース３４間に差し込むスペーサ３６とからなる。収納ケース３４は、金属製、例えばスチール製で上側開放の細長い浅底キャップ状をなし、開口周縁にはフランジ部３４ａを外向きに延設し、胴周部３４ｂには、その片側を横断する軸穴３１を設けてなる。係合片３５は、本体の鞘体３２と、鞘体３２内に差し込んで組み付ける消音部材３３とからなる。鞘体３２は、磁性体、例えば鉄製で、消音部材３３と対応する形状の差込穴３７を備えた細長薄管状に形成し、基端部に差込穴３７を横断する軸穴３８を設ける一方、先端部の開口縁を一部切り欠いて係合凹部３２ａを設けてなる。消音部材３３は、弾性材料、例えば樹脂材料からなり、細長な差込板部３３ａの基端部に軸穴３９をあける一方、先端部に、突端が鍔状の消音カラー部３３ｂを突設してなる。そこで、差込板部３３ａを差込穴３７に差し込み、消音カラー部３３ｂを係合凹部３２ａに係合させて、消音カラー３３ｂを突出状態にして鞘体３２に消音部材３３を嵌着し、係合片３５を組み立ててなる。
【００２４】
スペーサ３６は、樹脂製で、外周面側を収納ケース３４の凹形状に合わせて成形する一方、内周面側を係合片３５の外形状に合わせて成形して全体をＵ形に屈曲した板状に形成し、対向板部３６ａ・３６ａには、向い合う内周面に止めねじ４１の逃げ凹部３６ｂを設けると共に屈曲部３６ｃ近くに対向板部３６ａ・３６ａを横断する軸穴４２を設けてなる。
【００２５】
そこで、振れ止め本体３０は、収納ケース３４の収納凹部３４ｃ内にスペーサ３６を嵌め込み、スペーサ３６の対向板部３６ａ・３６ａ間に係合片３５を差し込み、連通した軸穴３１・３８・４２に枢軸４３を貫挿し、これにより、図８に示すように、係合片３５の基端部を枢軸４３で枢支して係合片３５を収納ケース３４に回動自在に連結し、収納凹部３４ｃ内に起伏自在に収納して組み立ててなる。従って、かかる構造の振れ止め本体３０は、図４および図５に示すように、係合片３５を収納ケース３４内に倒した収納状態とし、各扉Ｐ１・Ｐ２が走行する軌動下の床面Ｆ上にあって横振れを起す全閉位置の手前の各振れ止め位置Ｚに、１個ずつ設置する。
【００２６】
設置時、振れ止め本体３０は、床面Ｆ上の内扉Ｐ１と外扉Ｐ２の各振れ止め位置Ｚに予め凹設した取付凹部４３・４４に、係合片３５の先端部を戸尻側に向けて収納ケース３４を嵌め込んでから、図８および図９に示すように、いったん係合片３５を起こした状態とし、止めねじ４１をスペーサ３６の逃げ凹部３６ｂに通して捩じ込んで固定する。
【００２７】
振れ止め装置Ｒでは、このように振れ止め本体３０を設置するときは、係合片３５を収納ケース３４から起こしてスペーサ３６の逃げ凹部３６ｂを開放し、その逃げ凹部３６ｂの空間を利用すれば、収納ケース３４内に止めねじ４１を簡単に通して捩じ込むことができ、その結果、振れ止め本体３０を手間なく且つ精度よく床側に固着することができる。
【００２８】
しかる後、係合片３５を倒して収納ケース３４内に収納し、振れ止め待機状態にして振れ止め本体３０の設置を完了する。かかる振れ止め待機時の間は、振れ止め本体３０は、係合片３５を倒して収納ケース３４内に収納すると、両者間はその間に介在するスペーサ３６で隙間のない密接状態になるため、係合片３５と収納ケース３４と間から塵や埃等の異物が侵入することがなく、その結果、異物が原因で係合片３５の回動起伏動作が阻害されるなどの弊害の発生を防止することができる。
【００２９】
一方、マグネットキャッチ４０は、図６および図７（Ｂ）・（Ｃ）に示すように、磁石Ｍと、磁石Ｍを内設する木口キャップ４５とからなる。図示例の磁石Ｍは、図１１および図１２に示すように、略立方体をなす強磁性の第１の磁石ｍ１と、細長矩形の厚板状をなす第２の磁石ｍ２と、扁平な略正方形の板片状をなす一対の第３の磁石ｍ３・ｍ３とからなる。
【００３０】
木口キャップ４５は、樹脂製のキャップ本体５０と、略台形板状をなす金属製の蓋５５とからなる。キャップ本体５０は、図１１および図１２に示すように、各扉Ｐ１・Ｐ２のガイド溝１４・１５の溝形状に合わせて全体を薄箱状に形成し、図中左右の長さ方向の一端に、ガイド溝１４・１５の溝端部より若干幅広且つ縦長で外縁を鍔状に延ばした蓋板部５０ａを設ける一方、他端側において図中上下の幅方向一側に取付凸部５０ｂを突設し、幅方向他側の底部において一端寄りに、係合片３５の受け凹部５０ｃを凹設している。
【００３１】
更に、キャップ本体５０には、磁石Ｍ（ｍ１・ｍ２・ｍ３）用の取付部６０を凹設している。取付部６０は、受け凹部５０ｃの上側で厚さ方向片側の板面を一部、蓋５５の外形状に合わせて切り欠き、更に厚さ方向に深く第１の磁石ｍ１に合わせて略立方体の凹所を穿設して第１取付部６０ａを形成し、第１取付部６０ａの長さ方向他端側に、斜め図中上向きに第２の磁石ｍ２に合わせて細長矩形な厚板状の凹所を穿設して第２取付部６０ｂを形成し、取付凸部５０ｂの幅方向他側に第３取付部６０ｃを形成してなる。また、キャップ本体５０には、受け凹部５０ｃの長さ方向他端側から、第２取付部６０ｂの底面に沿って斜め上向きに底部を一部切り欠いて、係合片３５の厚さに合わせて幅狭な差込ガイド穴６５を穿設し、差込ガイド穴６５を間に挟んだ両側に一対の保持板部５０ｄ・５０ｄを形成し、保持板部５０ｄ・５０ｄに、第３の磁石ｍ３・ｍ３に合わせて扁平な略正方形の板穴を穿設し、そこに第３取付部６０ｃ・６０ｃを形成してなる。こうして長さ方向一端から他端に順に、第１取付部６０ａ、第２取付部６０ｂおよび第３取付部６０ｃを配設してなる。なお、取付部６０には、第１および第２取付部６０ａ・６０ｂの幅方向上側に、一段それらより浅い嵌付凹部６０ｄを形成し、嵌付凹部６０ｄに円柱状の小突起６１を突設してなる。
【００３２】
マグネットキャッチ４０は、取付部６０において、第１取付部６０ａに第１の磁石ｍ１を嵌め込み、第２取付部６０ｂに第２の磁石ｍ２を嵌め込み、嵌付凹部６０ｄの小突起６１をカシメ穴６２に通して蓋５５を取付部６０に嵌着してから、突出した小突起６１の頭部を潰して蓋５５をキャッチ本体５０に締着し、蓋５５で押えて第１おとび第２の磁石ｍ１・ｍ２を第１および第２取付部６０ａ・６０ｂに組み込む。また、第３の磁石ｍ３・ｍ３を、それぞれ板穴に差し込んで接着等で第３取付部６０ｃ・６０ｃに取り付けて、図１３に示すようにマグネットキャッチ４０を組み立ててなる。
【００３３】
そこで、マグネットキャッチ４０は、図７に示すように、１個ずつ、内扉Ｐ１と外扉Ｐ２の戸先側から、それぞれガイド溝１４・１５の戸先側溝端部１４ａ・１５ａ内に、溝縁を蓋板部５０ａの鍔状部分に突き当てた状態で嵌め込み、止めねじ７０を取付凸部５０ｂのねじ穴４４に捩じ込んで戸先側溝端部１４ａ・１５ａに固着する。これにより、蓋板部５０ａで戸先側溝端部１４ａ・１５ａを覆ってガイド溝１４・１５の化粧用エンドキャップとして兼用する。なお、図示省略するが、ガイド溝１４・１５の戸尻側溝端部は、マグネットキャッチ４０と同様な外形状の専用エンドキャップを嵌め込んで塞いでいる。かかるマグネットキャッチ４０は、ガイド溝１４・１５の戸先側溝端部１４ａ・１５ａにおいて、第１、第２および第３取付部６０ａ・６０ｂ・６０ｃに磁石Ｍ（ｍ１・ｍ２・ｍ３）を取り付け、第１の磁石ｍ１を最も戸先側に、それより戸尻側に第２の磁石ｍ２と第３の磁石ｍ３を順に配列して内設してなる。
【００３４】
さて、上述した構成の吊戸構造体では、閉時、全開状態の外扉Ｐ２を引いて閉方向Ｘに移動させると、走行ガイドＧにおいて、上部は戸車が係合したガイドレールＬ２の案内で、下部はガイド溝１５に係合したガイドローラ２９の案内で外扉Ｐ２が走行し、それに従いワイヤー２０が回動すると、そのワイヤー２０に引っ張られて隣の内扉Ｐ１が連動し、少し遅れて同じ閉方向Ｘに移動し、上部は戸車が係合したガイドレールＬ１の案内で、下部はガイド溝１４に係合したガイドローラ２５の案内で閉方向へと走行する。こうして各扉Ｐ１・Ｐ２が順に、図１４（１）に示すように閉方向Ｘに走行して後、全閉位置に近づいて、図１４（２）に示すように、マグネットキャッチ４０が振れ止め本体３０上の振れ止め位置Ｚに至ると、本発明の振れ止め装置Ｒが作動し、第１の磁石ｍ１の強磁性に基づいて吸引して係合片３５を回動して起こし、先端部を受け凹部５０ｃに突き当てて斜めに磁着し、更に各扉Ｐ１・Ｐ２の移動に従い、図１４（３）に示すように、第２の磁石ｍ２による斜め上向きの磁力で吸引し、係合片３５を差込ガイド穴６５に通して斜めに引き上げながら、保持板部５０ｄ・５０ｄ間へと導き、それから、各扉Ｐ１・Ｐ２の更なる移動に従い、係合片３５を、保持板部５０ｄ・５０ｄ間に係合し、図１４（４）に示すように、第３の磁石ｍ３・ｍ３で吸引して更に回動させながら鉛直に立ち上げ、そのまま第３の磁石ｍ３・ｍ３間に挟んで係合片３５の鉛直な立ち上げ状態を磁着保持する。従って、各扉Ｐ１・Ｐ２は、全閉位置の手前の振れ止め位置Ｚにおいて、マグネットキャッチ４０の第３の磁石ｍ３・ｍ３で振れ止め本体３０の係合片３５を挟んで鉛直な立ち上げ状態に磁着保持し、該係合片３５がガイド溝１４・１５の戸先側溝端部１４ａ・１５ａに係合することにより、下部戸先側で横振れすることなく全閉する。
【００３５】
振れ止め装置Ｒでは、係合片３５には、図９（Ｂ）に示すように、先端部に弾性材からなる凸状の消音カラー部３３ａを備えるため、閉時、振れ止め位置Ｚで第１の磁石ｍ１が係合片３５を吸引して回動させると、起き上がる係合片３５の先端部が消音カラー部３３ａを介してマグネットキャッチ４０の受け凹部５０ｃに突き当たり、その結果、係合片３５が受け凹部５０ｃに突き当たるたびに騒々しい衝突音が発生するのを防止することができ、ひいては、連動吊戸の使い心地を良好にすることができる。
【００３６】
更に、振れ止め装置Ｒは、図１１および図１２に示すように、磁石Ｍを、強磁性で以って係合片３５を磁着する第１の磁石ｍ１と、磁着した係合片３５を斜めに引き上げる第２の磁石ｍ２と、間に係合片３５を挟んで立ち上げると共に両側から立ち上げ状態を磁着保持する一対の第３の磁石ｍ３・ｍ３とで構成し、第１の磁石ｍ１を最も戸先側に、それより戸尻側に第２の磁石ｍ２と第３の磁石ｍ３の順に配列してマグネットキャッチ４０の第１、第２および第３取付部６０ａ・６０ｂ・６０ｃに内設しているため、閉時、図１４に示すように、マグネットキャッチ４０が振れ止め本体３０上の振れ止め位置に至ると、第１の磁石ｍ１の強磁性に基づき係合片３５を吸引して回動させて起き上げることにより受け凹部５０ｃに確実に当てて磁着することができ、次いで、第２の磁石ｍ２の斜め上向きの磁力に基づき係合片３５を斜めに引き上げて第３の磁石ｍ３・ｍ３間へ確実に導くことができ、それから、第３の磁石ｍ３・ｍ３で両側から磁力を及ぼすことにより係合片３５を確実に鉛直に立ち上げると共に立ち上げ状態をそのまま確実に磁着保持することができ、その結果、マグネットキャッチ４０で鉛直な立ち上げ状態に磁着保持した係合片３５をガイド溝１４・１５の戸先側溝端部１４ａ・１５ａに係合することにより、各扉Ｐ１・Ｐ２を、下部戸先側で横振れするのを確実に且つ効果的に防止することができる。
【００３７】
ところで、以上の図示実施の形態では、本発明の振れ止め装置Ｒを、吊戸が２枚の二連式吊戸の吊戸構造体に適用した例を示したが、本発明の振れ止め装置は、吊戸を３枚以上並置した連動吊戸の構造体にも、そのまま適用することができる。一方、本発明の振れ止め装置は、そのような吊戸が複数枚の連動式吊戸構造体に限らず、吊戸が１枚の通常の吊戸構造体にも、そのまま適用することができる。従って、吊戸が１枚の吊戸構造体に、例えば本発明の振れ止め装置Ｒを適用する場合、振れ止め本体３０は、閉時に吊戸が走行する軌動下の床面Ｆ上にあって、横振れを起す全閉位置の手前の振れ止め位置Ｚに、係合片３５の先端部を閉方向戸尻側に向けて１個設置する。一方、マグネットキャッチ４０は、当該吊戸に有する前記ガイド溝１４・１５の閉方向戸先側溝端部１４ａ・１５ａに嵌着し、閉時、横振れを起す振れ止め位置Ｚに至ると、磁石Ｍで係合片３５を吸引して回動して鉛直な立ち上げ状態に磁着保持するように構成する。
【００３８】
更に、以上の図示実施の形態では、磁石Ｍを、第１の磁石ｍ１、第２の磁石ｍ２および第３の磁石ｍ３・ｍ３で構成したが、本発明の振れ止め装置では、閉時、横振れを起す振れ止め位置に至ると、係合片を吸引して回動して鉛直な立ち上げ状態に磁着保持する限り、そのための磁石Ｍは１個以上であればよい。例えば３個の磁石を用いて磁石Ｍを構成する場合は、強磁性で以って係合片３５を磁着する磁石を戸先側に配置し、磁着した係合片３５を間に挟んで立ち上げると共に両側から立ち上げ状態を磁着保持する一対の磁石を戸尻側に配置してマグネットキャッチ４０に内設する。
【図面の簡単な説明】
【００３９】
【図１】本発明の一例である吊戸用振れ止め装置を適用した連動式吊戸構造体を全閉状態で示す正面図である。
【図２】吊戸構造体を全閉状態で示す斜視図ある。
【図３】吊戸構造体の縦断面図である。
【図４】吊戸構造体を全開状態で示す斜視図である。
【図５】吊戸構造体を全開状態で示す正面図である。
【図６】図２中Ａ・Ｂ・Ｃ方向から見て示す部分拡大斜視図である。
【図７】図４中Ｄ方向から見て示す部分拡大斜視図である。
【図８】振れ止め本体の斜視図である。
【図９】（Ａ）は振れ止め本体の側面図、（Ｂ）は平面図である。
【図１０】振れ止め本体の分解斜視図である。
【図１１】マグネットキャッチを一方向から見て示す分解斜視図である。
【図１２】マグネットキャッチを他方向から見て示す分解斜視図である。
【図１３】マグネットキャッチの組立斜視図である。
【図１４】振れ止め装置の振れ止め動作を段階的に分けて示す作動説明図である。
【図１５】従来の連動吊戸を示す縦断面図である。
【図１６】従来の連動吊戸における横振れ状態を説明する平面図である。
【符号の説明】
【００４０】
Ｇ              走行ガイド
Ｌ１・Ｌ２      ガイドレール
Ｐ１            内扉
Ｐ２            外扉
Ｍ              磁石
ｍ１            第１の磁石
ｍ２            第２の磁石
ｍ３            第３の磁石
Ｒ              振れ止め装置
１４・１５      ガイド溝
２５・２９      ガイドローラ
３０            振れ止め本体
３３            消音部材
３３ａ          消音カラー部
３４            収納ケース
３５            係合片
３６            スペーサ
３６ｂ          逃げ凹部
４０            マグネットキャッチ
４５            木口キャップ
【図１】
2010106444.tif 000003
【図２】
2010106444.tif 000004
【図３】
2010106444.tif 000005
【図４】
2010106444.tif 000006
【図５】
2010106444.tif 000007
【図６】
2010106444.tif 000008
【図７】
2010106444.tif 000009
【図８】
2010106444.tif 000010
【図９】
2010106444.tif 000011
【図１０】
2010106444.tif 000012
【図１１】
2010106444.tif 000013
【図１２】
2010106444.tif 000014
【図１３】
2010106444.tif 000015
【図１４】
2010106444.tif 000016
【図１５】
2010106444.tif 000017
【図１６】
2010106444.tif 000018